(57)【要約】【課題】電池出力に直接接続されるパワーアンプなどに電池保護回路の閾値以下の異常電流が流れる状態に陥った場合でも、動作を停止する電源回路を提供する。【解決手段】電圧監視部１０８ａが、負電圧発生部１０３の出力端子と、ＦＥＴ１  １０９ａのドレイン端子およびソース端子の電圧をモニターする。判定部１０８ｂが、このモニター結果から、保護回路１０７ａの作動する電流の閾値よりも小さい異常電流の存否を判定する。判定部１０８ｂは、異常電流の存在を判定すると、ＦＥＴ２  １０９ｂにゲート信号を出力する。ＦＥＴ２  １０９ｂは、保護回路１０７ａを短絡するので、その結果、保護回路１０７ａが作動する。【選択図】  図１
2005006452.tif 000002
【特許請求の範囲】
【請求項１】
所定の閾値を超える電流が流れると作動する電池保護回路を備える、携帯端末の電源回路において、
前記電源回路内の所定の箇所の電圧をモニタする第１の手段と、
前記第１の手段のモニタ結果から、前記閾値よりも小さい異常電流の存否を判定する第２の手段と、
前記第２の手段によって前記異常電流の存在することが判定されると、前記閾値よりも大きな電流を流すことにより、前記電池保護回路を作動させる第３の手段を有することを特徴とする電源回路。
【請求項２】
前記所定の箇所は、前記携帯端末の送信アンプと電池の間に挿入され、前記送信アンプの電源ＯＮ／ＯＦＦスイッチとして機能するＦＥＴのドレイン端子および／またはソース端子を含む、請求項１に記載の電源回路。
【請求項３】
前記所定の箇所は、前記送信アンプにゲートバイアスを与える負電圧発生手段の出力端子をさらに含む、請求項２に記載の電源回路。
【請求項４】
前記第２の手段は、前記携帯端末のベースバンドＬＳＩの送信制御がＯＮかＯＦＦかを判定し、ＯＦＦと判定した場合、前記ドレイン端子の電圧から、前記異常電流の存否を判定する、請求項２に記載の電源回路。
【請求項５】
前記第２の手段は、前記携帯端末のベースバンドＬＳＩの送信制御がＯＮかＯＦＦかを判定し、ＯＮと判定した場合、前記ドレイン端子と前記ソース端子の電位差から、前記異常電流の存否を判定する、請求項２に記載の電源回路。
【請求項６】
前記第２の手段は、前記携帯端末のベースバンドＬＳＩの送信制御がＯＮかＯＦＦかを判定し、ＯＮと判定した場合、前記負電圧発生手段の出力端子の電圧から、前記異常電流の存否を判定し、存在しないと判定した場合、次に、前記ドレイン端子と前記ソース端子の電位差から、前記異常電流の存否を判定する、請求項３に記載の電源回路。
【請求項７】
前記第３の手段は、前記第２の手段が前記異常電流の存在を判定した場合に出力する信号をゲート信号とし、該ゲート信号が入力されると、前記電池保護回路を短絡するＦＥＴである、請求項１から６のいずれか１項に記載の電源回路。
【発明の詳細な説明】
【０００１】
【発明の属する技術分野】
本発明は、所定の閾値を超える電流が流れると作動する電池保護回路を備える、携帯端末の電源回路に関する。
【０００２】
【従来の技術】
携帯端末の小型軽薄化が進んでいる。昨今では、小型化と操作利便性、表示視認性向上のため、ボタン部と表示部を同時に大きくできる折り畳み形状の端末が増加している。また、多機能化が進んでいるため、電池電流に対する要求も上昇しており、電池保護回路（例えば、特許文献１、２参照）の動作する閾値を上げざるを得ない状況である。
【０００３】
図９を参照すると、従来技術の電源回路およびその周辺部の構成が示されている。送信される信号（音声など）は、ベースバンドＬＳＩ９０６から、Ｉ、Ｑ信号として直交変調器９０５に伝達される。直交変調器９０５は、Ｉ、Ｑ信号を送信周波数成分に付加する。この信号は、ドライバアンプ９０４、パワーアンプ９０２で増幅され、アイソレータ９０１を経て、アンテナ（不図示）から送信される。
【０００４】
わが国の携帯電話で主に採用されているＰＤＣ（Ｐｅｒｓｏｎａｌ  Ｄｉｇｉｔａｌ  Ｃｅｌｌｕｌａｒ）方式では、一般に、送信アンプ（パワーアンプ９０２）は、電池電圧の電源（電池９０７の出力）と、ゲートバイアス用に負電圧（−２．５Ｖ程度、負電圧発生部９０３の出力）を使用している。これは、アンプの効率（消費電流）を重視しているためである。そのため、電源電圧によって増幅特性が変化し、一般に、高い電圧のときに最も特性が良い（一般的な回路では、電源電圧変動による特性変化を避けるため、定電圧出力を使用する）。また、電池電圧を直接使用しているため、電池との間に電源ＯＮ／ＯＦＦスイッチとして機能するＦＥＴ（パワーアンプ電源制御ＦＥＴ９０８）を配置している。パワーアンプ電源制御ＦＥＴ９０８のゲートは、ベースバンドＬＳＩ９０６の送信制御に接続されている。
【０００５】
【特許文献１】
特開平８−１４９７０１号公報
【特許文献２】
特開２００２−１７６７３０号公報
【０００６】
【発明が解決しようとする課題】
前述のように、従来技術の電源回路のパワーアンプ電源制御ＦＥＴ９０８は、ベースバンドＬＳＩ９０６によってのみ制御されている。したがって、その制御ラインが何らかの理由で送信以外のときにＦＥＴ−ＯＮの論理電圧（Ｈｉ  ｏｒ  Ｌｏ、ただし、パワーアンプ電源制御ＦＥＴ９０８がＰｃｈＭＯＳＦＥＴの場合はＬｏアクティブ）になった場合（すなわち、誤動作）、電池９０７とパワーアンプ９０２が接続されてしまう。パワーアンプ９０２は、電圧が印加されれば動作するため、電池が空になるまで誤送信し続けることになる。また、一般に、大出力のアンプは発熱量も大きいため、この間、パワーアンプ９０２は発熱し続けることになる（これが現実に起きると、パワーアンプ９０２の実装位置が筐体表面に近い場合は、使用していないのに携帯電話が熱いとユーザが感じることになる）。
【０００７】
たしかに、従来技術の電源回路でも、電池保護回路の動作する閾値以上の異常電流に対しては、電池保護回路が動作するので、上述のような問題は、電池保護回路の作動により解消する。しかし、異常電流が電池保護回路の閾値以下である場合には、電池保護回路が作動しないため、無駄な電力が消費されるのを防止できない。さらに、前述したように、携帯端末の多機能化のため、電池保護回路の動作する閾値はあげると、より大きな異常電流が許容されることになるため、この問題はより深刻となる。
【０００８】
本発明の目的は、電池出力に直接接続されるパワーアンプなどに電池保護回路の閾値以下の異常電流が流れる状態に陥った場合でも、動作を停止する電源回路を提供することにある。
【０００９】
【課題を解決するための手段】
上記目的を達成するために、本発明は、所定の閾値を超える電流が流れると作動する電池保護回路を備える、携帯端末の電源回路において、電源回路内の所定の箇所の電圧をモニタする第１の手段と、第１の手段のモニタ結果から、閾値よりも小さい異常電流の存否を判定する第２の手段と、第２の手段によって異常電流の存在することが判定されると、閾値よりも大きな電流を流すことにより、前記電池保護回路を作動させる第３の手段を有することを特徴とする。具体的に、第３の手段は、第２の手段が異常電流の存在を判定した場合に出力する信号をゲート信号とし、このゲート信号が入力されると、電池保護回路を短絡するＦＥＴである。
【００１０】
【発明の実施の形態】
次に、本発明の実施の形態について、図面を参照して詳細に説明する。
【００１１】
（第１の実施形態）
図１を参照すると、本発明の第１の実施形態の電源回路およびその周辺部の構成が示されている。図９に示し、従来の技術で説明した従来技術の電源回路およびその周辺部の構成と比べて、検出回路１０８と、ＦＥＴ２  １０９ｂが新たに加わり、電池保護回路の閾値以下の異常電流が流れる状態に陥った場合でも、電池保護回路を短絡することによって、電池保護回路を作動させる。
【００１２】
検出回路１０８は、電圧監視部１０８ａと、判定部１０８ｂと、抵抗１０８ｃと、タイマ１０８ｄから構成される。電圧監視部１０８ａは、負電圧発生部１０３と、ＦＥＴ１  １０９ａのソースおよびドレインの電圧を監視し、結果を判定部１０８ｂに出力する。判定部１０８ｂは、ベースバンドＬＳＩ１０６の送信制御と、電圧監視部１０８ａからの入力により状態の判定を行う。抵抗１０８ｃは、電圧監視部１０８ａの閾値レベルを決める抵抗である。タイマ１０８ｄは、判定部１０８ｂに、電池保護回路を短絡することによって電池保護回路を作動させる時間を与える。検出回路１０８は、ベースバンドＬＳＩ１０６のバックアップ電源を使用しているため、電池１０７の出力がＯＦＦの場合においても動作可能となっている。
【００１３】
ＦＥＴ２  １０９ｂは、そのゲート端子が判定部１０８ｂに接続され、判定部１０８ｂからの信号により、保護回路１０７ａを短絡する。
【００１４】
前述したように、電圧監視部１０８ａの監視箇所は、ＦＥＴ１  １０９ａのソース電圧、ドレイン電圧、負電圧発生部１０３の出力である。検出回路１０８は、
（１）誤送信による発熱を防止するため、送信タイミングか否か（誤送信していないかどうか）、
（２）パワーアンプ１０２に負電圧がかかってない場合に送信させない（異常電流が流れる）ため、正常送信制御時にパワーアンプ１０２に負電圧がかかっているかどうか、
（３）パワーアンプ１０２が故障して異常電流が流れることを防止するため、正常送信制御時に異常電流が流れていないかどうか、
（４）パワーアンプ電源制御ＦＥＴ１０９（ＦＥＴ１  １０９ａ）が故障して異常電流が流れることを防止するため、非送信時にパワーアンプ電源ラインに異常電流が流れていないかどうかをそれぞれ検出する。
【００１５】
まず、（１）について、正常送信であれば、ベースバンドＬＳＩ１０６の送信制御の論理と、負電圧発生部１０３の出力は一致する。すなわち、これらのＡＮＤを判定すれば、送信タイミングか否かを判定することができる。ベースバンドＬＳＩ１０６の送信制御のみＯＮ論理となっている場合には、ベースバンドＬＳＩ１０６の送信制御が何らかの理由で誤動作しているということになる。したがって、負電圧発生部１０３の出力電圧を測定する。
【００１６】
次に、（２）について、パワーアンプ１０２は、デプレッションタイプのＦＥＴを内部に使用している。このタイプのＦＥＴは、ゲートバイアス電圧により動作電流を変えられることを特徴としている。負電圧発生部１０３の出力が印加されることを前提に部品設計されるため、負電圧発生部１０３の出力が印加されていない状態でパワーアンプ１０２を使用すると、異常な大電流が流れてしまう。パワーアンプ１０２に大電流が流れると発熱してしまうため、正常送信制御時に負電圧がかかっているかどうかを監視し、印加されない場合には送信を停止する処置を取る。したがって、負電圧発生部１０３の出力電圧を測定する。
【００１７】
次に、（３）について、パワーアンプ１０２が故障した場合、異常大電流が流れることがある。これを検出するために、ＦＥＴ１  １０９ａのソース電圧、ドレイン電圧を測定し、電圧降下量が大きければ大電流が流れていると判定する。
これにより、パワーアンプが故障した場合に送信を停止する処置を取る。したがって、ＦＥＴ１  １０９ａのソース電圧、ドレイン電圧を測定する。
【００１８】
次に、（４）について、ＦＥＴ１  １０９ａが短絡状態で故障した場合、パワーアンプ１０２に電源電圧が印加されてしまう。前述の通り、パワーアンプ１０２は電圧が印加されてしまうと動作してしまうため、電流が流れて発熱してしまう。これを防止するために、非送信時にＦＥＴ１  １０９ａのドレイン電圧を測定する。ＦＥＴ１  １０９ａが正常であれば、ドレイン電圧は出現しない（０Ｖ）。もしＦＥＴ１  １０９ａが短絡故障した場合には、ＦＥＴ１  １０９ａのドレインに何らかの電圧が観測される。この状態を放置すると、パワーアンプ１０２に大電流が流れ続け、装置発熱という事態になってしまう。したがって、ＦＥＴ１  １０９ａのドレイン電圧を測定する。
【００１９】
次に、本実施形態の電源回路の動作を、図２のフローチャートを参照して詳細に説明する。
【００２０】
ステップ２０１で、判定部１０８ｂが、ベースバンドＬＳＩ１０６の送信制御からの信号を監視し、送信制御の有無（ＯＮまたはＯＦＦ）を判定する。
【００２１】
ステップ２０１で判定部１０８ｂが送信制御なし（ＯＦＦ）と判定した場合、ステップ２０２で、電圧監視部１０８ａが、ＦＥＴ１  １０９ａのドレイン電圧を測定し、測定結果を判定部１０８ｂに出力する。
【００２２】
ステップ２０３で、判定部１０８ｂが、この測定結果が０Ｖか否かを判定（ＹＥＳまたはＮＯ）し、０Ｖ（ＹＥＳ）と判定した場合、フローチャートのスタートに戻る。
【００２３】
０Ｖではない（ＮＯ）と判定した場合、ステップ２０４で、判定部１０８ｂが、ＦＥＴ２  １０９ｂをＯＮにし、電池１０７の出力をＧＮＤレベルに短絡させることにより、保護回路１０７ａを動作させる。
【００２４】
ステップ２０５で、判定部１０８ｂが、タイマ１０８ｄによってＴ秒経過を認識する（ＹＥＳ）と、ステップ２０６で、ＦＥＴ２  １０９ｂをＯＦＦにし、短絡状態を解除する。
【００２５】
ステップ２０１で判定部１０８ｂが送信制御あり（ＯＮ）と判定した場合、ステップ２０７で、電圧監視部１０８ａが負電圧発生部１０３の電圧測定を行う。
【００２６】
ステップ２０７で測定結果が異常（ＮＧ）だった場合、ステップ２０８で、判定部１０８ｂが、ＦＥＴ２  １０９ｂをＯＮにし、電池１０７の保護回路１０７ａを動作させる。
【００２７】
ステップ２０９で、判定部１０８ｂが、タイマ１０８ｄによってＴ秒経過を認識する（ＹＥＳ）と、ステップ２１０で、ＦＥＴ２  １０９ｂをＯＦＦにし、短絡状態を解除する。
【００２８】
ステップ２０７で測定結果が正常（ＯＫ）だった場合、ステップ２１１で、電圧監視部１０８ａが、ＦＥＴ１  １０９ａのソース−ドレイン間の電位差を測定する。
【００２９】
ステップ２１２で、電位差が抵抗１０８ｃで定められたＶｔｈより小さい（ＹＥＳ）場合には、正常と判断してフローチャートのスタートへ戻る。
【００３０】
ステップ２１２で、電位差が抵抗１０８ｃで定められたＶｔｈより大きい（ＮＯ）場合には、異常と判断し、ステップ２０８で、判定部１０８ｂが、ＦＥＴ２  １０９ｂをＯＮにし、電池１０７の保護回路１０７ａを動作させる。
【００３１】
ステップ２０９で、判定部１０８ｂが、タイマ１０８ｄによってＴ秒経過を認識する（ＹＥＳ）と、ステップ２１０で、ＦＥＴ２  １０９ｂをＯＦＦにし、短絡状態を解除する。
【００３２】
これら一連の動作により、誤動作電流の大小に関係なく、誤動作時に電池１０７の保護回路１０７ａを動作させることができる。
【００３３】
（第２の実施形態）
図３を参照すると、本発明の第２の実施形態の電源回路およびその周辺部の構成が示されている。基本的に第１の実施形態の電源回路と同じであるが、パワーアンプ電源制御ＦＥＴ３０９のかわりに、検出回路３０８のなかに、電池３０７の保護回路３０７ａを動作させるＦＥＴ３０８ｄ（図１のＦＥＴ２  １０９ｂに対応）をとり込んだ構成となっている。
【００３４】
次に、本実施形態の電源回路の動作を、図４のフローチャートを参照して詳細に説明する。
【００３５】
ステップ４０１で、判定部３０８ｂが、ベースバンドＬＳＩ３０６の送信制御からの信号を監視し、送信制御の有無（ＯＮまたはＯＦＦ）を判定する。
【００３６】
ステップ４０１で判定部３０８ｂが送信制御なし（ＯＦＦ）と判定した場合、ステップ４０２で、電圧監視部３０８ａが、パワーアンプ電源制御ＦＥＴ３０９のドレイン電圧を測定し、測定結果を判定部３０８ｂに出力する。
【００３７】
ステップ４０３で、判定部３０８ｂが、この測定結果が０Ｖか否かを判定（ＹＥＳまたはＮＯ）し、０Ｖ（ＹＥＳ）と判定した場合、フローチャートのスタートに戻る。
【００３８】
０Ｖではない（ＮＯ）と判定した場合、ステップ４０４で、判定部３０８ｂが、ＦＥＴ３０８ｄをＯＮにし、電池３０７の出力をＧＮＤレベルに短絡させることにより、保護回路３０７ａを動作させる。
【００３９】
ステップ４０５で、判定部３０８ｂが、タイマ３０８ｅによってＴ秒経過を認識する（ＹＥＳ）と、ステップ４０６で、ＦＥＴ３０８ｄをＯＦＦにし、短絡状態を解除する。
【００４０】
ステップ４０１で判定部３０８ｂが送信制御あり（ＯＮ）と判定した場合、ステップ４０７で、電圧監視部３０８ａが負電圧発生部３０３の電圧測定を行う。
【００４１】
ステップ４０７で測定結果が異常（ＮＧ）だった場合、ステップ４０８で、判定部３０８ｂが、ＦＥＴ３０８ｄをＯＮにし、電池３０７の保護回路３０７ａを動作させる。
【００４２】
ステップ４０９で、判定部３０８ｂが、タイマ３０８ｅによってＴ秒経過を認識する（ＹＥＳ）と、ステップ４１０で、ＦＥＴ３０８ｄをＯＦＦにし、短絡状態を解除する。
【００４３】
ステップ４０７で測定結果が正常（ＯＫ）だった場合、ステップ４１１で、電圧監視部３０８ａが、パワーアンプ電源制御ＦＥＴ３０９のソース−ドレイン間の電位差を測定する。
【００４４】
ステップ４１２で、電位差が抵抗３０８ｃで定められたＶｔｈより小さい（ＹＥＳ）場合には、正常と判断してフローチャートのスタートへ戻る。
【００４５】
ステップ４１２で、電位差が抵抗３０８ｃで定められたＶｔｈより大きい（ＮＯ）場合には、異常と判断し、ステップ４０８で、判定部３０８ｂが、ＦＥＴ３０８ｄをＯＮにし、電池３０７の保護回路３０７ａを動作させる。
【００４６】
ステップ４０９で、判定部３０８ｂが、タイマ３０８ｅによってＴ秒経過を認識する（ＹＥＳ）と、ステップ４１０で、ＦＥＴ３０８ｄをＯＦＦにし、短絡状態を解除する。
【００４７】
これら一連の動作により、誤動作電流の大小に関係なく、誤動作時に電池３０７の保護回路３０７ａを動作させることができる。
【００４８】
（第３の実施形態）
図５を参照すると、本発明の第３の実施形態の電源回路およびその周辺部の構成が示されている。基本的に第１、２の実施形態の電源回路と同じであるが、検出回路５０８に、電池５０７の保護回路５０７ａを動作させるＦＥＴ５０８ｄ（図１のＦＥＴ２  １０９ｂに対応）と、パワーアンプ５０２の電源制御を司るパワーアンプ電源制御ＦＥＴ５０８ｅ（図１のＦＥＴ１  １０９ａに対応）を取り込んだ構成となっている。
【００４９】
次に、本実施形態の電源回路の動作を、図６のフローチャートを参照して詳細に説明する。
【００５０】
ステップ６０１で、判定部５０８ｂが、ベースバンドＬＳＩ５０６の送信制御からの信号を監視し、送信制御の有無（ＯＮまたはＯＦＦ）を判定する。
【００５１】
ステップ６０１で判定部５０８ｂが送信制御なし（ＯＦＦ）と判定した場合、ステップ６０２で、電圧監視部５０８ａが、パワーアンプ電源制御ＦＥＴ５０８ｅのドレイン電圧を測定し、測定結果を判定部５０８ｂに出力する。
【００５２】
ステップ６０５で、判定部５０８ｂが、この測定結果が０Ｖか否かを判定（ＹＥＳまたはＮＯ）し、０Ｖ（ＹＥＳ）と判定した場合、フローチャートのスタートに戻る。
【００５３】
０Ｖではない（ＮＯ）と判定した場合、ステップ６０６で、判定部５０８ｂが、ＦＥＴ５０８ｄをＯＮにし、電池５０７の出力をＧＮＤレベルに短絡させることにより、保護回路５０７ａを動作させる。
【００５４】
ステップ６０５で、判定部５０８ｂが、タイマ５０８ｆによってＴ秒経過を認識する（ＹＥＳ）と、ステップ６０６で、ＦＥＴ５０８ｄをＯＦＦにし、短絡状態を解除する。
【００５５】
ステップ６０１で判定部５０８ｂが送信制御あり（ＯＮ）と判定した場合、ステップ６０７で、電圧監視部５０８ａが負電圧発生部５０３の電圧測定を行う。
【００５６】
ステップ６０７で測定結果が異常（ＮＧ）だった場合、ステップ６０８で、判定部５０８ｂが、ＦＥＴ５０８ｄをＯＮにし、電池５０７の保護回路５０７ａを動作させる。
【００５７】
ステップ６０９で、判定部５０８ｂが、タイマ５０８ｆによってＴ秒経過を認識する（ＹＥＳ）と、ステップ６１０で、ＦＥＴ５０８ｄをＯＦＦにし、短絡状態を解除する。
【００５８】
ステップ６０７で測定結果が正常（ＯＫ）だった場合、ステップ６１１で、電圧監視部５０８ａが、パワーアンプ電源制御ＦＥＴ５０８ｅのソース−ドレイン間の電位差を測定する。
【００５９】
ステップ６１２で、電位差が抵抗５０８ｃで定められたＶｔｈより小さい（ＹＥＳ）場合には、正常と判断してフローチャートのスタートへ戻る。
【００６０】
ステップ６１２で、電位差が抵抗５０８ｃで定められたＶｔｈより大きい（ＮＯ）場合には、異常と判断し、ステップ６０８で、判定部５０８ｂが、ＦＥＴ５０８ｄをＯＮにし、電池５０７の保護回路５０７ａを動作させる。
【００６１】
ステップ６０９で、判定部５０８ｂが、タイマ５０８ｆによってＴ秒経過を認識する（ＹＥＳ）と、ステップ６１０で、ＦＥＴ５０８ｄをＯＦＦにし、短絡状態を解除する。
【００６２】
これら一連の動作により、誤動作電流の大小に関係なく、誤動作時に電池５０７の保護回路５０７ａを動作させることができる。
【００６３】
（第４の実施形態）
図７を参照すると、本発明の第４の実施形態の電源回路およびその周辺部の構成が示されている。第４の実施形態の電源回路は、第１から第３の実施形態の電源回路で二重に判定していた送信時の異常検出を１つにした構成である。すなわち、電圧監視部７０８ａは、負電圧発生部７０３の電圧を測定しない。第４の実施形態の電源回路は、便宜上、第２の実施形態の電源回路をベースにした電源回路として説明するが、第１から第３の実施形態のどの電源回路をベースにしてもよい。
【００６４】
次に、本実施形態の電源回路の動作を、図８のフローチャートを参照して詳細に説明する。
【００６５】
ステップ８０１で、判定部７０８ｂが、ベースバンドＬＳＩ７０６の送信制御からの信号を監視し、送信制御の有無（ＯＮまたはＯＦＦ）を判定する。
【００６６】
ステップ８０１で判定部７０８ｂが送信制御なし（ＯＦＦ）と判定した場合、ステップ８０２で、電圧監視部７０８ａが、パワーアンプ電源制御ＦＥＴ７０９のドレイン電圧を測定し、測定結果を判定部７０８ｂに出力する。
【００６７】
ステップ８０３で、判定部７０８ｂが、この測定結果が０Ｖか否かを判定（ＹＥＳまたはＮＯ）し、０Ｖ（ＹＥＳ）と判定した場合、フローチャートのスタートに戻る。
【００６８】
０Ｖではない（ＮＯ）と判定した場合、ステップ８０４で、判定部７０８ｂが、ＦＥＴ７０８ｄをＯＮにし、電池７０７の出力をＧＮＤレベルに短絡させることにより、保護回路７０７ａを動作させる。
【００６９】
ステップ８０５で、判定部７０８ｂが、タイマ７０８ｅによってＴ秒経過を認識する（ＹＥＳ）と、ステップ８０６で、ＦＥＴ７０８ｄをＯＦＦにし、短絡状態を解除する。
【００７０】
ステップ８０１で判定部７０８ｂが送信制御あり（ＯＮ）と判定した場合、ステップ８０７で、電圧監視部７０８ａが、パワーアンプ電源制御ＦＥＴ７０９のソース−ドレイン間の電位差を測定する。
【００７１】
ステップ８０８で、電位差が抵抗７０８ｃで定められたＶｔｈより小さい（ＹＥＳ）場合には、正常と判断してフローチャートのスタートへ戻る。
【００７２】
ステップ８０８で、電位差が抵抗７０８ｃで定められたＶｔｈより大きい（ＮＯ）場合には、異常と判断し、ステップ８０９で、判定部７０８ｂが、ＦＥＴ７０８ｄをＯＮにし、電池７０７の保護回路７０７ａを動作させる。
【００７３】
ステップ８１０で、判定部７０８ｂが、タイマ７０８ｅによってＴ秒経過を認識する（ＹＥＳ）と、ステップ８１１で、ＦＥＴ７０８ｄをＯＦＦにし、短絡状態を解除する。
【００７４】
これら一連の動作により、誤動作電流の大小に関係なく、誤動作時に電池７０７の保護回路７０７ａを動作させることができる。
【００７５】
【発明の効果】
以上説明したように、本発明によれば、イルミネーションや鳴音報知などの理由から、電池保護回路の閾値電流を、大電流に対応すべく高く設定した場合において、電池保護回路の保護領域と電位監視している特定回路ブロックの最大電流との間に差が生じても、最小限の回路変更によって、電池保護回路が動作しない領域をなくすことができる。
【００７６】
すなわち、電池出力に直接接続される特定回路が故障または異常動作に陥り、電池保護回路の動作電流以下の異常電流が流れる続ける場合においても、電池出力を短絡させることにより、電池保護回路を動作させ、携帯端末の機能を確実に停止させることができ、装置の安全性が維持される。
【００７７】
このように、簡単な構成で、電池出力に直接接続される回路ブロックが故障または異常状態に陥った場合に対応するフェールセーフ機能を付加することができる。
【００７８】
また、装置の安全性を維持しながら、多機能に対応すべく、電池保護回路の閾値を引き上げることができる。
【図面の簡単な説明】
【図１】本発明の第１の実施形態の電源回路およびその周辺部の構成を示した図である。
【図２】本発明の第１の実施形態の電源回路の動作を示した図である。
【図３】本発明の第２の実施形態の電源回路およびその周辺部の構成を示した図である。
【図４】本発明の第２の実施形態の電源回路の動作を示した図である。
【図５】本発明の第３の実施形態の電源回路およびその周辺部の構成を示した図である。
【図６】本発明の第３の実施形態の電源回路の動作を示した図である。
【図７】本発明の第４の実施形態の電源回路およびその周辺部の構成を示した図である。
【図８】本発明の第４の実施形態の電源回路の動作を示した図である。
【図９】従来技術の電源回路およびその周辺部の構成を示した図である。
【符号の説明】
１０１、３０１、５０１、７０１、９０１  アイソレータ
１０２、３０２、５０２、７０２、９０２  パワーアンプ
１０３、３０３、５０３、７０３、９０３  負電圧発生部
１０４、３０４、５０４、７０４、９０４  ドライバアンプ
１０５、３０５、５０５、７０５、９０５  直交変調器
１０６、３０６、５０６、７０６、９０６  ベースバンドＬＳＩ
１０７、３０７、５０７、７０７、９０７  電池
１０７ａ、３０７ａ、５０７ａ、７０７ａ、９０７ａ  保護回路
１０７ｂ、３０７ｂ、５０７ｂ、７０７ｂ、９０７ｂ  電池セル
１０８、３０８、５０８、７０８  検出回路
１０８ａ、３０８ａ、５０８ａ、７０８ａ  電圧監視部
１０８ｂ、３０８ｂ、５０８ｂ、７０８ｂ  判定部
１０８ｃ、３０８ｃ、５０８ｃ、７０８ｃ  抵抗
１０８ｄ、３０８ｅ、５０８ｆ、７０８ｅ  タイマ部
３０８ｄ、５０８ｄ、７０８ｄ  ＦＥＴ
５０８ｅ  パワーアンプ電源制御ＦＥＴ
１０９、３０９、７０９、９０８  パワーアンプ電源制御ＦＥＴ
１０９ａ  ＦＥＴ１
１０９ｂ  ＦＥＴ２
２０１〜２１２  ステップ
４０１〜４１２  ステップ
６０１〜６１２  ステップ
８０１〜８１１  ステップ
【図１】
2005006452.tif 000003
【図２】
2005006452.tif 000004
【図３】
2005006452.tif 000005
【図４】
2005006452.tif 000006
【図５】
2005006452.tif 000007
【図６】
2005006452.tif 000008
【図７】
2005006452.tif 000009
【図８】
2005006452.tif 000010
【図９】
2005006452.tif 000011